(57)【要約】【課題】  必要以上に回復処理を行わず、かつ短時間にユーザがコピーを行える画像形成装置を提供する。【解決手段】  コピーの準備動作が行われたことを検出したときに、回復処理を実行する必要があるか否かを判断し、判断に従って回復処理を実行する。【選択図】  図４
2005238710.tif 000002
【特許請求の範囲】
【請求項１】
インクを吐出する記録ヘッドと、原稿台上の原稿を読み取って画像データを生成する画像読取手段とを有し、前記記録ヘッドを用いて前記画像データに基づく画像を形成する画像形成装置において、
前記記録ヘッドからのインク吐出状態を良好に保つための回復動作を行う回復手段と、
前記記録ヘッドの回復動作に関する情報を格納する格納手段と、
前記画像読取手段による前記原稿の読み取り動作の開始に先立つ、操作者による操作が行われたか否かを判別する判別手段と、
前記判別手段による判別結果と前記格納手段に格納された前記情報とに基づいて、前前記記録ヘッドの回復動作を行う回復制御手段と、を有することを特徴とする画像形成装置。
【請求項２】
前記回復制御手段は、前記操作者による操作が行われたと前記判別手段により判別され、前記記録ヘッドの回復動作を行う必要があるという情報が前記格納手段に格納されていたときに、前記記録ヘッドの回復動作を行うことを特徴とする請求項１に記載の画像形成装置。
【請求項３】
前記画像読取手段は前記原稿台に設置された原稿を覆うカバーを有し、
前記判別手段は、スイッチまたは光学センサにより前記カバーの開閉状態が変化したことを検知したときに前記操作者による操作が行われたと判別することを特徴とする請求項１または２に記載の画像形成装置。
【請求項４】
前記画像読取手段は複数の原稿を順次前記原稿台に搬送する原稿搬送装置を有し、
前記判別手段は、前記原稿搬送装置に前記原稿が設置されたことを検知したときに前記操作者による操作が行われたと判別することを特徴とする請求項１または２に記載の画像形成装置。
【請求項５】
ユーザが画像を形成する記録媒体の大きさや、画像を形成する枚数を設定できる設定手段を更に有し、
前記判別手段は、ユーザにより前記設定手段の設定がなされたことを検知したときに前記操作者による操作が行われたと判別することを特徴とする請求項１または２に記載の画像形成装置。
【請求項６】
前記回復手段は、前記記録ヘッド内のインクを吸引する吸引回復動作、前記記録ヘッドから画像の形成に関わらないインクの吐出を行う予備吐出動作、インクを吐出する吐出口が形成された面を拭き取るワイピング動作の少なくともひとつの動作を行うことを特徴とする請求項１乃至５のいずれかに記載の画像形成装置。
【請求項７】
前記格納手段は、前回行われた回復動作からの経過時間に応じて、前記記録ヘッドの回復動作を行う必要があるか否かを示す情報を格納することを特徴とする請求項１乃至６のいずれかに記載の画像形成装置。
【請求項８】
前記格納手段は、前記経過時間に応じて前記記録ヘッドの回復動作を行う際の回復量を示す情報を格納することを特徴とする請求項１乃至７のいずれかに記載の画像形成装置。
【請求項９】
インクを吐出する記録ヘッドと、原稿台上の原稿を読み取って画像データを生成する画像読取手段と、前記記録ヘッドからのインク吐出状態を良好に保つための回復動作を行う回復手段と、前記回復動作に関する情報を格納するメモリとを有し、前記記録ヘッドを用いて前記画像データに基づく画像を形成する画像形成装置における回復方法であって、
前記画像読取手段による前記画像の読み取り動作の開始に先立つ、操作者による操作が行われたか否かを判別する判別ステップと、
前記判別ステップによる判別結果と前記メモリに格納された前記情報とに基づいて、前記記録ヘッドの回復動作を行う回復制御ステップとを備えることを特徴とする回復方法。
【請求項１０】
前記回復制御ステップは、前記判別ステップにおいて前記操作者による操作が行われたと判別され、前記メモリに前記記録ヘッドの回復動作を行う必要があるという情報が格納されていたとき、前記記録ヘッドの回復動作を行うことを特徴とする請求項９に記載の回復方法。
【発明の詳細な説明】
【技術分野】
【０００１】
本発明は、画像読み取り手段とインクジェット記録手段を備えたマルチファンクションインクジェット記録装置に関し、消費インクの削減及びファーストコピータイムの短縮方法に関するものである。
【背景技術】
【０００２】
従来より、インクジェット記録装置は低騒音化、ランニングコストの低コスト化、装置の小型化が容易である等の理由から、様々な装置において広く利用されている。近年、よく利用されている装置として、インクジェット方式の記録部と、画像読み取り部を備えることで、プリント機能のみならず、コピー機、スキャナとしても使用できる装置（マルチファンクションプリンタ）が考案されている。さらに、マルチファンクションプリンタ（以下、ＭＦＰとも称する）には、外部との通信機能を設けることでＦＡＸ機能を備えたＭＦＰも考案されている。
【０００３】
インクジェット方式の記録部を備えるＭＦＰは、インクジェット記録装置と同様に、記録ヘッドの保存状態によってはインクを吐出する吐出口に目詰まりが生じることで、インクが吐出されない不吐出、吐出量が変化したり着弾位置がずれるような吐出不良となることがある。他には、インクタンクの交換を行って、記録ヘッドの液室内に十分にインクが満たされていないときや、インクタンクから記録ヘッドの液室内に至る流路内に空気が混入する等の原因によっても、不吐出、吐出不良となることがある。
【０００４】
そのため、ＭＦＰにおいてもインクジェット記録装置と同様に、不吐出や吐出不良の原因を除去して吐出性能を良好に維持するために、回復処理手段（クリーニング手段とも称する）が設けられている。この回復処理手段による回復処理は、吐出口からインクを排出させる予備吐出、記録ヘッドに負圧を与えて記録ヘッド内のインクを強制的に排出させる吸引回復、吐出口の形成面に付着したゴム部材で拭き取るワイピングなどがあげられる。
【０００５】
従来のＭＦＰはインクジェット記録装置同様、上記の回復処理を電源ＯＮ時や、フロントカバーの開閉動作検出時、さらにインクタンク交換スイッチ押下動作によってインクタンクや記録ヘッドが交換されたことを検出したときには、毎度回復処理を実施していた（例えば、特許文献１参照。）。
【０００６】
また、回復処理を行う必要があるか否かを判別し、印字命令を受信したときに回復処理を行うことで適切な回復量の回復処理を実行するＭＦＰも考案されている（例えば、特許文献２参照。）。
【特許文献１】特開２００１−１９９０８７号公報
【特許文献２】特開２００１−２３２８１５号公報
【発明の開示】
【発明が解決しようとする課題】
【０００７】
しかしながら、上述の特許文献１に記載の方法では、電源ＯＮ時やフロントカバー開閉検出時などの所定の動作が行われる度に回復処理を実行するので、前回の回復処理の実行からの経過時間が短く、本来回復処理がないときでも回復処理を実行するため必要以上にインクを消費していた。そのため、ランニングコストが増大したり、回復処理に消費するインクを貯蔵するために大きな貯蔵タンクを要し、装置本体が大型化してしまう課題があった。
【０００８】
また、特許文献２に記載の方法では、回復処理を行う必要があるときにのみ回復処理が行われるものの、印字命令を受信してから回復処理を実行するため、記録終了までのユーザの待ち時間（ユーザが印字開始命令を発してから記録終了するまでの時間であり、ファイーストコピータイムとも称する）が増大してしまう課題があった。
【０００９】
本発明は、これらの課題を解決する為になされたものであり、その目的とするところは、必要以上に回復処理を行わず、かつ短時間にユーザーがコピーを行える画像形成装置（マルチファンクションプリンタ）を提供することにある。
【課題を解決するための手段】
【００１０】
本発明は、インクを吐出する記録ヘッドと、原稿台上の原稿を読み取って画像データを生成する画像読取手段とを有し、前記記録ヘッドを用いて前記画像データに基づく画像を形成する画像形成装置において、前記記録ヘッドからのインク吐出状態を良好に保つための回復動作を行う回復手段と、前記記録ヘッドの回復動作に関する情報を格納する格納手段と、前記画像読取手段による前記原稿の読み取り動作の開始に先立つ、操作者による操作が行われたか否かを判別する判別手段と、前記判別手段による判別結果と前記格納手段に格納された前記情報とに基づいて、前前記記録ヘッドの回復動作を行う回復制御手段と、を有することを特徴とする。
【００１１】
また、本発明は、インクを吐出する記録ヘッドと、原稿台上の原稿を読み取って画像データを生成する画像読取手段と、前記記録ヘッドからのインク吐出状態を良好に保つための回復動作を行う回復手段と、前記回復動作に関する情報を格納するメモリとを有し、前記記録ヘッドを用いて前記画像データに基づく画像を形成する画像形成装置における回復方法であって、前記画像読取手段による前記画像の読み取り動作の開始に先立つ、操作者による操作が行われたか否かを判別する判別ステップと、前記判別ステップによる判別結果と前記メモリに格納された前記情報とに基づいて、前記記録ヘッドの回復動作を行う回復制御ステップとを備えることを特徴とする。
【発明の効果】
【００１２】
本発明によれば、コピー時に、原稿の読み取り動作の開始に先立つ操作者による操作を検知し、回復処理が必要であるときにはコピーを開始する前に回復処理を実行することにより、必要以上に回復処理を行わず、かつ短時間にユーザーがコピーを行える画像形成装置を提供することが可能となる。
【発明を実施するための最良の形態】
【００１３】
（第１の実施形態）
以下に、図面を参照して本発明の第１の実施形態を詳細に説明する。
【００１４】
図１は、インクジェット方式の記録部を備えた画像形成装置（ＭＦＰ：マルチファンクションプリンタ）の構成説明図である。
【００１５】
図１に示すように、本発明において適用可能なマルチファンクションプリンタは、上部に画像読取装置部１０１を有し、下部にインクジェット記録装置部１０２を有しており、画像読取装置部１０１で読み取った画像情報をインクジェット記録装置部１０２へ送信し、インクジェット記録装置１０２で印字することが可能である。
【００１６】
画像読取装置部１０１には、原稿台１０３、原稿台カバー１０４、原稿台カバー１０４の開閉を検知する原稿台カバー開閉スイッチ１０５が備えられている。この画像読み取り装置１０１は、原稿台１０３に載せられた原稿を読み取って画像情報を生成するものであり、通常は原稿台カバー１０４を閉めて、原稿台１０３に原稿を圧接させた状態で画像の読み取り動作を行う。なお、画像の読み取り動作は、ＣＣＤセンサを用いて原稿台に載せられた原稿の画像を読み取って、画像データを生成する。
【００１７】
インクジェット記録装置部１０２には、インクタンク１０６、記録ヘッド１０７、開口部１０８、キャリッジ１０９が備えられている。このＭＦＰにおいて、インクタンク１０６、あるいは記録ヘッド１０７の交換を行うときには、画像読取装置部１０１を回動させ、開口部１０８から行う。なお、インクタンク１０６の残量は光学センサを用いて検出しているが、この光学センサの出力値の変化からインクタンクの交換を検出することができる。また、記録ヘッド１０７とキャリッジ１０９との接点にある電気コネクト部の信号レベルにより、記録ヘッド１０７の交換、脱着を検出することができる。
【００１８】
図２に、インクジェット記録装置部１０２の斜視図を示す。
【００１９】
図２において、２０１はインクタンクであり、２０２は記録ヘッドである。インクタンク２０１には、ブラック、シアン、マゼンタ、イエローの４色のカラーインクがそれぞれ貯留されており、記録ヘッド２０２はそれぞれのインクに対応するようノズル列が形成されている。２０３は紙送りローラであり、補助ローラ２０４とともに記録媒体Ｐを挾持しながら図の矢印の方向に回転し、記録媒体Ｐをｙ方向（副走査方向）に随時搬送する。また、２０５は一対の給紙ローラであり、記録媒体の給紙を行う。一対の給紙ローラ２０５は、紙送りローラ２０３および補助ローラ２０４と同様、記録媒体Ｐを挾持して回転するが、紙送りローラ２０３よりもその回転速度を小さくすることによって記録媒体に張力を作用させることができる。２０６は４つのインクタンク２０１を支持し、印字とともにこれらの走査を行わせるためのキャリッジである。キャリッジ２０６は印字を行っていないとき、あるいは記録ヘッド２０２の回復処理などを行うときに、記録領域の外側であって、図２に破線で示したホームポジションｈに位置する。
【００２０】
吐出口からインクが吐出されない不吐出や、吐出口から吐出されるインク量が不安定であったり、吐出されたインク滴の着弾位置がずれる吐出不良を回避して、記録ヘッド２０２の吐出状態を良好に保つために行われる回復処理として、吸引回復処理、ワイピング処理、予備吐出がある。
【００２１】
吸引回復処理は、記録ヘッド２０２内の液室又は流路内に、空気が混入したり、記録ヘッド２０２内のインクが乾燥して増粘することに起因する吐出不良又は不吐出を回避する為に、吐出口面にキャップ（不図示）を当接し、吸引ポンプ２０７により記録ヘッド２０２に負圧を与えることで、記録ヘッド２０２内の空気又は増粘インクを吸引して排出する処理である。
【００２２】
ワイピング処理は、吸引回復処理の実行やインクの吐出によって、吐出口が形成された面（ノズル面とも称する）にインク滴やゴミなどが付着することに起因する吐出不良を回避する為に、クリーニングブレード２０８を吐出口面に当接させて図２中のｙ方向に移動することで、吐出口面に付着したインク滴やゴミなどを取り除くよう拭き取る処理である。
【００２３】
予備吐出は、一定時間吐出が行われていない吐出口からインク滴を吐出させたときに生じる不吐出や吐出不良を回避する為に、所定吐出周波数で所定発数のインク滴を吐出する動作である。この予備吐出は、ホームポジションｈの記録ヘッド１０２に対向した位置に設けられている予備吐受けに行われる。
【００２４】
図３に、本実施形態において適用可能なＭＦＰの制御系の構成を示すブロック図である。
【００２５】
図３において、ＣＰＵ３００はメインバスライン３０５を介して装置各部の制御およびデータ処理を実行する。すなわち、ＣＰＵ３００は、ＲＯＭ３０１に格納されるプログラムに従い、データ処理、ヘッド駆動およびキャリッジ駆動を以下の各部を介して制御する。
【００２６】
ＲＡＭ３０２はこのＣＰＵ３００によるデータ処理等のワークエリアとして用いられ、回復処理が必要であるか否かを示す情報を提示するためのフラグ領域がもうけられる。また、これらメモリにはその他にハードディスク等がある。
【００２７】
ＥＥＰＲＯＭ３１８は、ＲＡＭ３０２内に設けられたフラグ領域の内容を電源ＯＦＦ時にも保持しておくための領域を有する不揮発性メモリである。
【００２８】
インクタンクセンサ３２０、及びカバースイッチセンサ３２１はインクタンク交換が行われたか否かを判定するときに用いられるセンサであり、カバースイッチＯＮ／ＯＦＦ前後のインクタンクセンサ出力値の変化によりインクタンクの交換が行われたか否かの判断を行う。インクタンクの交換が行われたと判断した場合、ＲＡＭ３０２内のフラグ領域に回復処理要の情報をセットし、ＥＥＰＲＯＭ３１８にもこの情報を保存する。また、記録ヘッドセンサ３２３は、記録ヘッド２０２とキャリッジとの電気的接点状態などから記録ヘッドの交換、着脱を検出することができ、記録ヘッドの着脱が行われたと判断した場合には、ＲＡＭ３０２内のフラグ領域に回復処理要の情報をセットし、ＥＥＰＲＯＭ３１８にも保存する。なお、インクタンクの交換を検知する際のカバースイッチとして、画像読取装置部１０１を回動させたか否かを検出するセンサを用いてもよい。
【００２９】
原稿台カバー開閉スイッチ３２２は、原稿台カバーの開閉状態を検知するためのスイッチであり、機械式のスイッチや電気接点方式のセンサ、光学式センサなどを用いることができる。原稿台カバーが開いているとき原稿台カバー開閉スイッチ３２２はＯＮ状態となり、閉じているとき（原稿台１０３に原稿を圧接していないとき）にＯＦＦ状態となる。このような、原稿台カバーの開閉状態の変化により、ユーザーが原稿台カバーを開閉し、コピー動作を行おうとしているか否かの判断に用いる。
【００３０】
タイマー３１９は、例えば、最後に回復処理を行った時刻を取得するときに用いられ、タイマーから取得した時刻はＲＡＭ３０２内の所定領域にセットされ、ＥＥＰＲＯＭ３１８にもこの情報を保存する。さらに、最後に回復処理を行った時刻から一定時間経過した場合も、回復処理要の情報をＲＡＭ３０２内のフラグ領域にセットし、ＥＥＰＲＯＭ３１８にもこの情報を保存する。また、タイマー３１９は図示しないバッテリーによって駆動し、ＭＦＰの電源がＯＦＦにされた場合でも駆動しつづけることができる。
【００３１】
画像読取装置部１０１の制御を行うＣＰＵ３３０は、入力画像処理部３３１を格納しており、ＣＣＤセンサ３３２、ＣＣＤセンサ駆動部３３３、画像出力部３３４及びメインバスライン３０５と接続されている。ＣＣＤセンサ駆動部はＣＣＤセンサの入力駆動の制御を行う。入力画像処理部３３１はＣＣＤセンサ３３２からの信号をＡ／Ｄ変換、シェーディング補正などの処理を行う。入力画像処理部３３１で処理された画像は出力部３３４を介して画像入力部３０３に送られる。
【００３２】
画像入力部３０３は、画像読取装置部１０１及びホストとのインターフェースを有し、画像読み取り装置及びホストから入力した画像を一時的に保持する。ここで、ホストとはＭＦＰと接続される外部装置のことであり、ＰＣやデジタルカメラなどがあげられる。画像信号処理部３０４では、画像入力部３０３に格納された画像から記録データを生成するために、色変換、二値化等のデータ処理を実行する。操作部３０６は入力スイッチ等を備えており、ユーザは操作部３０６からコピー枚数の設定やコピー開始等の指示を出すことができる。
【００３３】
回復系制御回路３０７では、ＲＡＭ３０２に格納される回復処理プログラム及び回復処理の要否情報（フラグ）に従って吸引回復処理、ワイピング処理、予備吐出の回復動作を制御する。
【００３４】
回復系モータ３０８は、回復処理中に駆動されるモータで、ワイピング処理の際には、クリーニングブレード３０９を駆動させ、吸引回復処理の際には、キャップ３１０、吸引装置３１１を駆動させる。なお、クリーニングブレード３０９、キャップ３１０、吸引装置３１１それぞれは、複数の回復処理中において駆動することがある。
【００３５】
ヘッド駆動制御回路３１５は、記録ヘッド３１３のインク吐出用電気熱変換体の駆動を制御し、記録ヘッド３１３から予備吐出や記録のためのインク吐出するよう制御している。また、記録ヘッド３１３のインク吐出用の電気熱変換体が設けられている基板には、保温ヒータが設けられており、記録ヘッド内のインク温度を所望設定温度に加熱調整することができる。さらにサーミスタ３１２は、保温ヒータと同様に上記基板に設けられており、記録ヘッド内部のインク温度を測定する。なお、サーミスタ３１２は、基板にではなく外部に設けられていても良く、記録ヘッドの周囲近傍にあっても良い。キャリッジ駆動制御回路３１６、および紙送り制御回路３１７は、キャリッジモータ、紙送りモータそれぞれの駆動を制御することで、記録媒体に対して画像が形成されるようキャリッジの移動、および紙送りを行わせる。
【００３６】
次に、本実施形態におけるＭＦＰの詳細なシーケンスを説明する。
【００３７】
図４に、ＭＦＰの電源が投入（ＯＮ）されてから印字動作を開始するまでのＭＦＰの処理手順を示す。
【００３８】
まず、Ｓｔ１において、ユーザがＭＦＰの電源を投入する（ＯＮ状態にする）ことで、ＭＦＰのソフトパワーをＯＮする。次にＳｔ２において、電源ＯＮに伴う、キャリッジ駆動制御、紙送り駆動制御及び画像読取装置部等の各種イニシャライズ動作を行う。
【００３９】
Ｓｔ３において、原稿台カバーの開閉動作が行われたか否かを検出する。コピー動作の準備のためにユーザが原稿台カバーを開けたとき、原稿台カバー開閉スイッチからの出力値はＯＦＦからＯＮへ変化するので、原稿台カバーが開いたと検出することができる。また、初めから原稿台カバーが開いていた場合には、コピー動作の準備のためにユーザが原稿を原稿台に載せた後で開いていた原稿台カバーを閉じたときにも、原稿台カバー開閉スイッチからの出力値はＯＮからＯＦＦへ変化するので、原稿台カバーが閉じたと検出したときにもコピー動作の準備をしていると判断する。このように、Ｓｔ３では、原稿台カバー開閉スイッチからの出力値がＯＦＦからＯＮ（原稿台カバーが開く動作）に変化したとき、または、ＯＮからＯＦＦ（原稿台カバーが閉じる動作）に変化したか否かを検出する。Ｓｔ３において原稿台カバーの開閉動作が行われていないと判断されたときには、コピー動作の準備は行われていないとして回復処理を行うか否かの判定は行わず、Ｓｔ７に進む。ここでは、ユーザによって原稿台カバーの開閉動作が行われたコトを検出したときに、ＣＰＵ３００は操作者によりコピー動作に伴う原稿の読み取り動作の開始に先立つ操作が行われたと判断する。
【００４０】
また、Ｓｔ３において原稿台カバーの開閉動作が行われたと検出されたときには、Ｓｔ４において、ＲＡＭ３０２、またはＥＥＰＲＯＭ３１８内に格納されている回復処理情報を参照し、回復処理を行うか否かを判断する。この回復処理情報とは、回復処理の実施の要否を示す情報（フラグ）である。また、回復処理情報として、回復量の大きさを示す情報や、吸引回復処理などの回復処理の種類を示す情報であっても良い。Ｓｔ４において回復処理が不要であると判断されたときにはＳｔ３に戻る。また、回復処理が必要であると判断されたときには、Ｓｔ５において吸引回復処理、ワイピング処理、予備吐出の回復処理から適切な処理を実行し、続くＳｔ６においてＲＡＭ３０２、及びＥＥＰＲＯＭ３１８に回復処理情報を書き込む。このとき、ＲＡＭ３０２に書き込んだ内容をＥＥＰＲＯＭ３１８にコピーする構成としてもよい。
【００４１】
次に、Ｓｔ７おいて、印字開始命令を受信したかどうかを判別し、印字開始命令を受信していなければＳｔ３に戻る。Ｓｔ７において印字開始命令を受信していれば、Ｓｔ８では、Ｓｔ４と同様に、ＲＡＭ３０２、またはＥＥＰＲＯＭ３１８内の回復処理情報を参照する。続くＳｔ９、１０では、Ｓｔ５、６と同様に回復処理情報に従った回復動作、メモリへの情報の書込みを実行する。
【００４２】
次に、Ｓｔ１１では、印字動作を開始する。
【００４３】
以上のようにすることで、電源が投入されてからコピー動作が行われるまでに、適切なときに適切な回復量の回復動作を行うことが可能となる。なお、本実施形態では、電源が投入されてから最初のコピー動作までの処理手順を示したが、最初のコピー動作が終了したときには、Ｓｔ３に戻ることで、２回目以降のコピー動作時においても適切なときに回復動作を行うことが可能となる。
【００４４】
また、Ｓｔ８〜Ｓｔ１０は、コピー動作以外の印字動作、例えばＭＦＰに接続されるＰＣ等のホスト装置から受信した印字データを印字する際に、適切な回復処理が行われるよう設けられた処理である。
【００４５】
以上説明したように、本実施形態によると、コピーの準備の際の原稿台カバーの開閉を検出したときに、回復処理の要否に従って回復処理を実行することで、必要以上の回復処理を行わないためインクの無駄な消費を低減させることができ、ランニングコストの増大という課題を解決することが可能となる。さらに、コピーの準備が行われたときに、回復処理を実行するため、コピー動作を指示してから記録されるまでの時間を短縮することができ、ファーストコピータイムの増大という課題を解決することが可能となる。
【００４６】
（第２の実施形態）
第１の実施形態においては、ユーザーによる原稿台カバーの開閉を原稿台カバー開閉スイッチで検知することでコピー準備動作が行われているか否かを判断していたが、本実施形態では、複数枚の原稿を順次原稿台に搬送する原稿搬送装置を備えるＭＦＰにおいて、原稿搬送装置に備えられた原稿検知スイッチによってコピー準備動作が行われているか否かを判断することを特徴とする。
【００４７】
図５に、ＭＦＰの構成説明図を示す。なお、図５において、図１と同じ構成は同じ符号を付してあり、説明は省略する。
【００４８】
画像読取装置部１０１の原稿台カバー１０４の上部には、画像の読み取り動作時に原稿トレイ５０２に設置した複数枚の原稿を、順次原稿台へと搬送する原稿搬送装置５０１（ＡＤＦ：オートドキュメントフィーダーとも称する）が備えられている。原稿トレイ５０２には、原稿が設置されているか否か、原稿の有無を検知する原稿検知スイッチ５０３が備えられている。
【００４９】
本実施形態のＭＦＰの制御系は、第１の実施形態における原稿台カバー開閉スイッチ３２２の替わりに原稿検知スイッチ５０３を備えており、それ以外は第１の実施形態のＭＦＰの制御系と同じである。この原稿検知スイッチ５０３は、原稿トレイ５０２上に原稿が設置されているときにはＯＮ、原稿トレイ５０２上に原稿が設置されていないときにはＯＦＦを出力するものである。原稿検知スイッチ５０３からの出力値がＯＦＦからＯＮへ状態が変化したときに、ユーザーによって原稿が原稿トレイに設置されたと判断する。
【００５０】
図６に、本実施形態におけるＭＦＰの電源が投入されてから印字動作を開始するまでのＭＦＰの処理手順を示す。Ｓｔ３以外のステップに関しては、第１の実施形態（図４）と同じであるので説明は省略する。
【００５１】
Ｓｔ３では、原稿トレイに原稿が設置されたか否かを検出する。コピー動作の準備のためにユーザが原稿トレイに原稿を載せたとき、原稿検知スイッチからの出力値がＯＦＦからＯＮへ変化するので、原稿を設置したと検出することができる。原稿トレイから原稿が取られたときは、原稿検知スイッチの出力値はＯＮからＯＦＦへ変化するものの、コピーの準備動作がされていると判断しない。また、原稿検知スイッチの出力値がＯＮからＯＮ、ＯＦＦからＯＦＦと変化がなかったときには、原稿トレイの原稿の移動はされなかったととし、新たにコピーの準備動作がされたとは判断しない。Ｓｔ３において原稿トレイに原稿が設置されてコピーの準備動作がされたと判断したにはＳｔ４へ、コピーの準備動作がされていないと判断したときにはＳｔ７へ進む。
【００５２】
以上のように、本実施形態においても、原稿トレイに原稿を設置するコピーの準備動作がされたことを検出したときに、回復処理の要否に従って回復処理を実行することで、必要以上の回復処理を行わないためインクの無駄な消費を低減させることができ、ランニングコストの増大という課題を解決することが可能となる。さらに、コピーの準備が行われたときに、回復処理を実行するため、コピー動作を指示してから記録されるまでの時間を短縮することができ、ファーストコピータイムの増大という課題を解決することが可能となる。
【００５３】
（第３の実施形態）
第１の実施形態においては、ユーザーによる原稿台カバーの開閉を原稿台カバー開閉スイッチで検知することでコピー準備動作が行われているか否かを判断していたが、本実形態では、画像読取装置部における原稿台の受光量の変化により原稿台カバーの開閉を検出し、コピー準備動作が行われているか否かを判断することを特徴とする。
【００５４】
本実施形態に適用可能なＭＦＰは、図１に示す第１の実施形態とほぼ同様であるが、原稿台カバースイッチは必要ない。
【００５５】
本実施形態のＭＦＰの制御系は、第１の実施形態における原稿台カバー開閉スイッチ３２２の替わりに入力光検知スイッチを備えており、それ以外は第１の実施形態のＭＦＰの制御系と同じである。この入力光検知スイッチは、原稿台カバーの開閉状態を検知するためのスイッチであり、所定量以上の光が画像読取装置部に入力（受光）しているときの出力値をＯＮとし、原稿台カバーが開いている状態であると判断できる。また、所定量未満の光が画像読取装置に入力しているときの出力値をＯＦＦとし、原稿台カバーが閉まっている状態であると判断できる。入力光検知スイッチの出力値の変化により、ユーザーが原稿台カバーを開閉したか否かを判断でき、第１の実施形態と同様にコピーの準備動作がされているか否かを判別することができる。コピー動作がされていることを検出したときの処理は第１の実施形態と同じであるため省略する。
【００５６】
本実施形態のおいても、画像読取装置部に入射する光量から原稿台カバーの開閉を検知し、コピーの準備動作がされたことを検出したときには回復処理の要否に従って回復処理を実行することで、必要以上の回復処理を行わないためインクの無駄な消費を低減させることができ、ランニングコストの増大という課題を解決することが可能となる。さらに、コピーの準備が行われたときに、回復処理を実行するため、コピー動作を指示してから記録されるまでの時間を短縮することができ、ファーストコピータイムの増大という課題を解決することが可能となる。
【００５７】
（その他の実施形態）
コピーの準備動作がされたか否かを判断する構成として、上記実施形態の他に、ＭＦＰに備えられた操作部（操作盤）のスイッチがユーザによって操作されたときにコピーの準備動作がされたと判断する構成としても良い。これは、コピー時にユーザは、コピーする枚数、印字品位、用紙サイズ、倍率などの設定を操作盤の入力スイッチを用いて行うため、この操作盤のスイッチが操作されたときにコピーの準備動作が行われたと判断することができる。
【００５８】
なお、上記実施形態における制御はＯＮ／ＯＦＦ可能な構成であってもよい。
【図面の簡単な説明】
【００５９】
【図１】本発明において適用可能なＭＦＰの構成説明図である。
【図２】インクジェット記録装置部を示す斜視図である。
【図３】第一の実施形態におけるＭＦＰの制御系の構成を示すブロック図である。
【図４】第一の実施形態におけるＭＦＰのシーケンスを示す図である。
【図５】第二の実施形態におけるＭＦＰの構成説明図である。
【図６】第二の実施形態におけるＭＦＰのシーケンスを示す図である。
【符号の説明】
【００６０】
１０１  画像読取装置部
１０２  インクジェット記録装置部
１０３  原稿台
１０４  原稿台カバー
１０５  原稿台カバー開閉スイッチ
１０６、２０１  インクタンク
１０７、２０２  記録ヘッド
１０８  開口部
２０７  吸引ポンプ
２０８、３０９  クリーニングブレード
３０６  操作部
３０７  回復系制御回路
３０８  回復系モータ
３１０  キャップ
３１１  吸引装置
Ｐ  記録媒体
【図１】
2005238710.tif 000003
【図２】
2005238710.tif 000004
【図３】
2005238710.tif 000005
【図４】
2005238710.tif 000006
【図５】
2005238710.tif 000007
【図６】
2005238710.tif 000008